(57)【要約】【課題】  毛髪化粧料を頭髪塗布用のブラシに乗せる操作を簡単、迅速に行い、毛髪化粧料の垂れ落ちを防ぎ、垂れ落ちによる染着汚れを防ぐ。【解決手段】  毛髪化粧料の商品包装を構成する収納容器が下記（１）の切開加工部及び／又は下記（２）の支持部を備える商品包装。  （１）収納容器の壁部が、毛髪化粧料塗布用のブラシを櫛歯面を上向きにした状態で安定的に支持できる支持部を形成するための、帯状のミシン目加工部またはカットライン加工部である切開加工部を備える。（２）収納容器の壁部が、毛髪化粧料塗布用のブラシを櫛歯面を上向きにした状態で安定的に支持できる支持部を備える。【選択図】図３
2017007719.tif 000002
【特許請求の範囲】
【請求項１】
毛髪化粧料の商品包装を構成する１又は２以上の収納容器が下記（１）の切開加工部及び／又は下記（２）の支持部を備えることを特徴とする商品包装。
（１）収納容器の壁部が、毛髪化粧料塗布用のブラシを櫛歯面を上向きにした状態で安定的に支持できる支持部を形成するための、帯状のミシン目加工部またはカットライン加工部である切開加工部を備える。
（２）収納容器の壁部が、毛髪化粧料塗布用のブラシを櫛歯面を上向きにした状態で安定的に支持できる支持部を備える。
【請求項２】
前記（１）に記載した支持部が、包装箱の平坦な壁部の端部から中央部向きに設けた溝状のカット部又は凹陥部であって、ブラシのハンドル部を収容できる溝幅を持つことを特徴とする請求項１に記載の商品包装。
【請求項３】
前記（１）に記載した支持部が、薄型の内箱における幅の広い天板部又は底板部を横断するように設けた浅くて広いカット部又は凹陥部であって、ブラシの櫛歯部を密に嵌入できる幅を持つことを特徴とする請求項１に記載の商品包装。
【請求項４】
前記（２）の支持部が、収納トレーの対向する壁部の内、一方の壁部にはブラシの一端である櫛歯部の先端を受け止める窪みを設け、他方の壁部にはブラシの他端であるハンドル部の先端側部分を受け止める窪みを設けたものであることを特徴とする請求項１に記載の商品包装。
【請求項５】
粘液状剤型又は泡状剤型の毛髪化粧料を頭髪塗布用のブラシに乗せるに当たり、毛髪化粧料の商品包装を構成する請求項１〜４のいずれかに記載の収納容器の支持部に、櫛歯面を上向きにした前記ブラシを支持させることを特徴とする収納容器の利用方法。
【発明の詳細な説明】
【技術分野】
【０００１】
本発明は、毛髪化粧料の商品包装とその利用方法に関する。更に詳しくは、本発明は、毛髪化粧料の商品包装を構成する包装箱、収納トレー、内箱などの収納容器であって、毛髪化粧料を頭髪塗布用のブラシに乗せる際にブラシ支持台として便利に利用できる収納容器と、これらの収納容器の利用方法に関する。
【０００２】
本発明において「収納容器」とは、毛髪化粧料の商品包装を構成する収納用の容器であって、柔軟な材料からなる袋状の容器を除外したものを言う。収納容器としては、少なくとも包装箱、収納トレー及び内箱が例示されるが、これらに限定されない。
【０００３】
「包装箱」とは、毛髪化粧料の商品包装における外箱（商品の全体を包装する箱）を言う。「収納トレー」とは、１剤式又は多剤式の毛髪化粧料における各剤を充填したチューブや缶容器などを収納するトレー形状の容器であって、包装箱の内部に収めるものを言う。「内箱」とは、折畳み状態の商品説明書などの書面類、薄いゴム製手袋、コーム、薄手に一体成型されたプラスチック製のブラシ組立て用部品キットなどを収納する薄型の箱であって、包装箱の内部に収めるものを言う。
【背景技術】
【０００４】
毛髪化粧料の商品包装では、通常、毛髪化粧料の各剤を充填したチューブなどの容器の他に、備品として、各種の書面類、薄い手袋、コームなどが包装箱に収納される。毛髪化粧料がある程度流動性の低いクリーム状やジェル状などの粘液状剤型や泡状剤型で使用される場合、これを頭髪に塗布するための安価で簡易な構成のブラシが包装箱に収納されることがある。
【０００５】
以上の商品や備品類を包装箱中にコンパクトに整理して収めるため、例えば毛髪化粧料の各剤を収納トレーに収納することがあり、書面類や手袋を薄型の内箱に収納する場合がある。完成した形態のブラシは嵩張るので、薄手に成型したブラシ組立て用部品キットを収納する場合もあり、これにより更にコンパクトな商品包装を行うことができる。
【先行技術文献】
【特許文献】
【０００６】
【特許文献１】特開２００４−０５７４５５号公報
【特許文献２】特開２０００−２８１１５５号公報
【０００７】
上記の特許文献１は、その図１８などに、チューブ入りの毛髪化粧料第１剤、第２剤と共に、ブラシ組立て用のプラスチック製部品の一式を扁平な方形の樹脂フレーム中に一体的に成型した成形キットを包装箱に収納してなる毛髪化粧料セットを開示している。この毛髪化粧料セットにおいては、包装箱に商品収納以外の機能を持たせるための構造的加工は施されていない。
【０００８】
上記の特許文献２はティッシュペーパー用包装箱に関し、収納容器である包装箱の天面板に長円形の環状にミシン目を予備的に設け、ミシン目に沿って天面板を切り開けばティッシュペーパーの取出し口が形成されると言う技術を開示する。しかしこの技術は、包装箱からティッシュペーパーを取出すと言う当然の要求に対応しているに過ぎない。
【発明の概要】
【発明が解決しようとする課題】
【０００９】
ところで、流動性が比較的低いクリーム状やジェル状などの粘液状剤型や泡状剤型の毛髪化粧料をブラシを用いて頭髪に適用するには、まず毛髪化粧料をチューブ容器から絞り出したり、フォーマー容器から吐出したりしてブラシの櫛歯面に乗せ、次いでそのブラシで頭髪を梳くことにより毛髪化粧料を頭髪に塗布することが多い。多剤式の毛髪化粧料では、各剤を予め混合せずにそれぞれブラシの櫛歯面に乗せ、ブラシで頭髪を梳く過程で結果的に各剤を混合させることが多い。
毛髪化粧料をブラシの櫛歯面上に乗せる操作は、チョット見には簡単そうに見えるが、実際には、以下に述べる具体的事情に基づき、時間が掛かり、面倒であり、問題を生じている。この点を以下に説明する。
【００１０】
（ａ）毛髪化粧料は染毛剤や毛髪脱色剤などのように２剤式のものが多い。例えば各剤をチューブに収容したクリーム状、ジェル状などの粘液状剤型の２剤式毛髪化粧料において、片手でブラシを把持することを前提とした場合、他方の片手で第１剤と第２剤のチューブを同時に把持して絞り出すことは困難である。従って、２本のチューブの絞り出しを片手で順次に行うことになり、時間が掛かると共に面倒である。このような事情はエアゾール式やノンエアゾール式で吐出する２剤式の毛髪化粧料でも同様であり、あるいは更に面倒である。
【００１１】
（ｂ）毛髪化粧料の塗布用ブラシは、頭髪を梳いて毛髪化粧料を塗布する目的から、個々の櫛歯が隙間を伴って低密度に立設されている。又、粘液状剤型や泡状剤型の毛髪化粧料は、ある程度の流動性を備えている。従って、ブラシに乗せた毛髪化粧料を素早く頭髪に塗布しなければ、ブラシ上から垂れ落ちる恐れがある。この意味でも、（ａ）で述べた「時間が掛かると共に面倒である」点が問題になる。
【００１２】
（ｃ）上記（ａ）の場合に、ブラシを把持せずにテーブルなどの平面に寝かせ、両手を自由に使って櫛歯面に毛髪化粧料を乗せると言う対処法が考えられる。しかし、この場合に使用するブラシは、通常の理髪用ブラシとは異なり、毛髪化粧料を頭髪に塗布すると言う目的上の操作性から、ハンドル部を櫛歯面とは反対側方向へ張出した形状とする場合が多い。このようなブラシを平面上に寝かせると、ハンドル部の張出し形状のためにブラシが不安定な姿勢となり、更に操作中に接触すると傾動又は搖動して毛髪化粧料を乗せ難くなったり、ブラシに乗せた毛髪化粧料が垂れ落ちたりし易かった。
【００１３】
（ｄ）上記の（ｂ）、（ｃ）において、ブラシ上から垂れ落ちた毛髪化粧料が染毛剤である場合、垂れ落ちたテーブルなどの備品、家具類や床面などの家屋構成材を汚す恐れがある。この汚れは染着性があるため、容易に除去できない。
【００１４】
そこで本発明は、以上の（ａ）〜（ｄ）の問題点を考慮し、流動性が比較的低い粘液状剤型や泡状剤型の毛髪化粧料を頭髪塗布用のブラシに乗せる操作において、当該操作を簡単、迅速に行い、ブラシに乗せた毛髪化粧料の垂れ落ちを防ぎ、垂れ落ちた毛髪化粧料による備品、家具類、家屋構成材の染着汚れを防ぐことを、解決すべき技術的課題とする。
【００１５】
本願発明者は、毛髪化粧料の商品包装における包装箱、収納トレー、内箱などの毛髪化粧料収納容器に一定の加工を加え、その加工によって当該収納容器をブラシ支持台及び毛髪化粧料垂れ落ち用の受け皿として利用可能とすれば、上記の課題を解決できることに想到した。
【課題を解決するための手段】
【００１６】
（第１発明の構成）
上記課題を解決するための本願第１発明は、毛髪化粧料の商品包装を構成する１又は２以上の収納容器が下記（１）の切開加工部及び／又は下記（２）の支持部を備える、商品包装である。
（１）収納容器の壁部が、毛髪化粧料塗布用のブラシを櫛歯面を上向きにした状態で安定的に支持できる支持部を形成するための、帯状のミシン目加工部またはカットライン加工部である切開加工部を備える。
（２）収納容器の壁部が、毛髪化粧料塗布用のブラシを櫛歯面を上向きにした状態で安定的に支持できる支持部を備える。
【００１７】
（第２発明の構成）
上記課題を解決するための本願第２発明は、前記第１発明に係る商品包装において、（１）に記載した支持部が、包装箱の平坦な壁部の端部から中央部向きに設けた溝状のカット部又は凹陥部であって、ブラシのハンドル部を収容できる溝幅を持つ。
【００１８】
（第３発明の構成）
上記課題を解決するための本願第３発明は、前記第１発明に係る商品包装において、（１）に記載した支持部が、薄型の内箱における幅の広い天板部又は底板部を横断するように設けた浅くて広いカット部又は凹陥部であって、ブラシの櫛歯部を密に嵌入できる幅を持つ。
【００１９】
（第４発明の構成）
上記課題を解決するための本願第４発明は、前記第１発明に係る商品包装において、（２）の支持部が、収納トレーの対向する壁部の内、一方の壁部にはブラシの一端である櫛歯部の先端を受け止める窪みを設け、他方の壁部にはブラシの他端であるハンドル部の先端側部分を受け止める窪みを設けたものである。
【００２０】
（第５発明の構成）
上記課題を解決するための本願第５発明は、粘液状剤型又は泡状剤型の毛髪化粧料を頭髪塗布用のブラシに乗せるに当たり、毛髪化粧料の商品包装を構成する第１発明〜第４発明のいずれかに記載の収納容器の支持部に、櫛歯面を上向きにした前記ブラシを支持させる、収納容器の利用方法である。
【発明の効果】
【００２１】
（第１発明の効果）
第１発明によれば、粘液状剤型や泡状剤型の毛髪化粧料をブラシの櫛歯面上に乗せる操作において、（１）の切開加工部（帯状のミシン目加工部またはカットライン加工部）から形成した支持部、あるいは（２）の支持部を利用して、ブラシを所要の姿勢で安定的に支持できる。そのため、例えば多剤式の毛髪化粧料でも、両手を自由に使って上記の操作を容易かつ迅速に行うことができる。
従ってまた、ブラシに乗せた毛髪化粧料が、操作の遅延に起因して、または不安定な姿勢にあるブラシの傾動又は搖動に起因して、ブラシから垂れ落ちることを可及的に防止できる。
更に、仮に幾分かの毛髪化粧料がブラシから垂れ落ちても、収納容器で受け止められるので、テーブル面や家屋床面などの備品、家具類、家屋構成材の染着汚れを防止できる。
【００２２】
（第２発明の効果）
第２発明では、第１発明の（１）に記載した支持部である溝状のカット部又は凹陥部にブラシのハンドル部を収容した状態で、包装箱の平坦な壁部にブラシ櫛歯部のベース面を面接触させることができる。従って、ハンドル部の突出形状による干渉を受けることなく、ブラシ櫛歯部のベース面が上記の平坦な壁部に面接触した安定的な姿勢で支持される。その結果、第１発明の上記効果が確保される。
【００２３】
（第３発明の効果）
第３発明では、第１発明の（１）に記載した支持部である浅くて広いカット部又は凹陥部にブラシの櫛歯部を密に嵌入すると、ブラシの櫛歯部が固定され、毛髪化粧料をブラシの櫛歯面上に乗せる操作において、ブラシの傾動又は搖動が防止される。その結果、第１発明の上記効果が確保される。
【００２４】
（第４発明の効果）
第４発明では、第１発明の（２）の支持部である収納トレーの対向壁部における１対の窪みにブラシの櫛歯部の先端とハンドル部の先端側部分とを受け止めさせると、ブラシが安定的に支持される。その結果、第１発明の上記効果が確保される。
【００２５】
（第５発明の効果）
第５発明の収納容器の利用方法によれば、粘液状剤型又は泡状剤型の毛髪化粧料を頭髪塗布用のブラシに乗せる操作に当たり、毛髪化粧料の収納容器の支持部を利用してブラシを安定的に支持できるので、容易かつ迅速に操作でき、ブラシからの毛髪化粧料の垂れ落ちを防止でき、あるいは垂れ落ちた毛髪化粧料による備品、家具類、家屋構成材の染着汚れを防止できる。
【図面の簡単な説明】
【００２６】
【図１】実施例１に係る包装箱とその展開図である。
【図２】上記包装箱における溝状カット部の形成を示す。
【図３】上記包装箱のブラシ支持台としての利用状態を示す。
【図４】実施例２に係る収納トレーとその利用状態を示す。
【図５】実施例３に係る内箱とその利用状態を示す。
【符号の説明】
【００２７】
１            包装箱
２            台紙
３            面板
４            フラップ
５            折曲げ加工線
６            ミシン目加工部
７            ミシン目加工部
８            カット部
９            凹陥部
１０          ブラシ
１１          櫛歯部
１２          ハンドル部
１３          櫛歯面
１４          櫛歯
１５          ベース面
１６          収納トレー
１７          窪み
１８          窪み
１９          内箱
２０          面板
２１          ミシン目
２２          ミシン目加工部
２３          カット部
【発明を実施するための形態】
【００２８】
以下に本発明の実施形態をその最良の形態を含めて説明する。本発明の技術的範囲は、以下の実施形態によって限定されない。
【００２９】
〔毛髪化粧料〕
本発明の商品包装に収納される毛髪化粧料は、ブラシを用いて頭髪に塗布する可能性がある限りにおいて種類を限定されないが、クリーム状、ジェル状などの粘液状、あるいは泡状などの流動性が比較的低い剤型で頭髪に塗布するものが好適に例示され、酸化染毛剤や酸性染毛料などの染毛料を含有する毛髪化粧料がとりわけ好適に例示される。
【００３０】
〔毛髪化粧料の商品包装〕
毛髪化粧料の商品包装は、少なくとも収納容器を含んで構成される。収納容器とは、箱状またはトレー状に構成した商品収納用の容器を言う。トレーとは、底が浅く上方が開口した盆状あるいは皿状の容器である。収納容器には、商品全体を収納する包装箱（いわゆる外箱）と、商品の一部を収納して包装箱の内部に収める内部容器とがある。内部容器は、明細書の冒頭に定義した収納トレーや内箱に限定されない。商品包装は、収納容器の他にも、包装用の袋などの任意の形態の包装材を含むことができる。商品包装の収納物にはブラシが含まれても良く、含まれなくても良い。
【００３１】
収納容器の構成材料は限定されず、紙、プラスチック、木などが例示されるが、壁厚の薄い収納容器が要求される点、製造工程で切開加工（帯状のミシン目加工やカットライン加工）を施す必要がある点等を考慮すると、紙製が好ましく、ボール紙製が特に好ましく、コートボール紙製がとりわけ好ましい。収納容器の製造工程でミシン目加工やカットライン加工を施す必要がない場合には、薄い硬質プラスチック材により容器を構成したものも好ましく例示できる。
【００３２】
ボール紙やコートボール紙を用いる場合、箱の展開形状を呈する型紙の打抜き成型と、型紙に折り目線に沿う折り癖をつける折曲げ加工線の形成を行い、これを折り目線沿いに折曲げて箱形状を形成すると共に、フラップ部を利用して所定部分を接合すると言う常法に従って箱を構成するのが便宜である。切開加工部も上記の打抜き成型時に形成することが好ましい。薄い硬質プラスチック材を用いる場合、溶融プラスチック材の型成型により収納トレーを形成し、その際にブラシ用の支持部も併せて成形することが便宜である。
なお、ボール紙やコートボール紙を用いる場合においても、薄い硬質プラスチック材を用いる場合においても、上記実施形態に限定されない。
【００３３】
〔収納容器の切開加工部〕
収納容器の壁部に設ける切開加工部は、収納容器の壁部にブラシ支持用の支持部を形成するための予備加工部分である。例えば収納容器が包装箱である場合、収納した商品の封入性や外観上の体裁の問題から、溝状のカット部等である支持部を商品販売時から形成することは好ましくない。このような場合、封入性を維持でき外観上も目立たない切開加工部を設けておき、ユーザーが必要に応じて簡単に支持部を形成できるようにすることが好ましい。
【００３４】
切開加工部のうち、ミシン目加工部では、収納容器の壁部を破断することができ又は少なくとも折曲げることができるミシン目を帯状に形成する。収納容器の壁部に一定の幅を以て２条のミシン目を形成しておき、これを外側から押込むと、ミシン目の破断により溝状のカット部又は凹陥部を形成できる。あるいは上記２条のミシン目の一端部又は両端部に特に破断し易いプルタブ式の摘みを形成し、これを摘んで引上げるプルトップ形式のミシン目加工としても良い。ミシン目加工部では、通常、破断予定線に沿ってミシン目が形成される。ミシン目を構成する個々のスリットの長短を変えることで、ミシン目の破断強度を調整できる。
【００３５】
一方、カットライン加工部では、帯状の加工部の長手方向端部は切開加工を要しない。しかし、加工部の他の部分は全長にわたり予めカットされ、あるいはミシン目を形成するとしても個々のスリットが非常に長く形成される。カットライン加工部は、商品包装を構成する包装箱や内箱などの直方体形状の収納容器における特定の面から、その直角方向に隣接する面にわたって好ましく形成される。この種のカットライン加工部は、指で軽く押込むだけで収納容器の内部側へ凹陥するので、溝状のカット部又は凹陥部を極めて容易に形成できる。
【００３６】
〔収納容器の支持部〕
収納容器の支持部は、粘液状剤型又は泡状剤型の毛髪化粧料を頭髪に塗布するために頭髪塗布用のブラシに乗せるに当たり、ブラシの櫛歯面を上向きにして、ブラシの傾動や搖動を抑えて固定的に支持するための構造である。支持部は、商品包装の収納容器において切開加工部として予備的に構成されたものでも良く、収納容器の製造時に完成形態として構成されたものでも良い。
【００３７】
収納容器の商品包装にブラシ又はブラシ組立て用部品キットを含めている場合は、そのブラシに最適なミシン目加工部、カットライン加工部または支持部を、いずれか１の収納容器に１ケ所だけ形成しても良い。また、商品包装にブラシ又はブラシ組立て用部品キットを含めているか否かに関わらず、１または２以上の収納容器に合計２ケ所以上の切開加工部または支持部を形成しても良い。
【００３８】
支持部の代表的な実施形態を以下の（ａ）〜（ｃ）に示すが、ブラシを上記のように固定的に支持できる限りにおいて、これらの実施形態には限定されない。
【００３９】
（ａ）包装箱の平坦な壁部の端部から中央部向きに設けた溝状のカット部又は凹陥部であって、ブラシのハンドル部を収容できる溝幅を持つ支持部。この支持部は、好ましくは、上記の切開加工部から形成されたものである。包装箱において溝状のカット部又は凹陥部を形成するに好適な壁部は、直方体等である包装箱の形状及びサイズと、ブラシにおける前記したブラシ櫛歯部のベース面からのハンドル部の突出幅との相対的なサイズを考慮して適宜に決定される。
【００４０】
（ｂ）薄型の内箱における幅の広い天板部又は底板部を横断するように設けた浅くて広いカット部又は凹陥部であって、ブラシの櫛歯部を密に嵌入できる幅を持つ支持部。この支持部も、好ましくは上記の切開加工部、特に好ましくはカットライン加工部から形成されたものである。
【００４１】
（ｃ）収納トレーの対向する壁部の内、一方の壁部にはブラシの一端である櫛歯部先端側を受け止める窪みを設け、他方の壁部にはブラシの他端であるハンドル部先端側を受け止める窪みを設けた支持部。収納トレーが硬質プラスチック材を用いて型成型されている場合、切開加工部を形成し難いので、予め支持部を完成していることが好ましい。
【００４２】
〔収納容器の利用方法〕
本発明の収納容器の利用方法は、粘液状剤型又は泡状剤型の毛髪化粧料を頭髪塗布用のブラシに乗せるに当たり、毛髪化粧料の商品包装を構成する上記いずれかの収納容器の支持部に、櫛歯面を上向きにしたブラシを支持させる方法である。
【実施例】
【００４３】
以下に本発明の実施例を図面を参照しつつ説明する。本発明の技術的範囲は以下の実施例によって限定されない。これらの実施例において、包装箱などの収納容器の外表面に表示されているイラストレーション、説明書などの各種印刷は図示を省略する。又、断面図などでは、図示の便宜上、収納容器の壁部の厚さを誇張して表現している。
【００４４】
〔実施例１〕
本実施例に係る包装箱１を図１（ｂ）に示し、包装箱１を作成するための台紙２を図１（ａ）に示す。包装箱１は毛髪化粧料の商品包装の外箱であり、その形状及び寸法は任意に設計できるが、例えば図示の包装箱１は１６ｃｍ×８ｃｍ×４．５ｃｍの直方体形状である。コートボール紙からなる台紙２は、包装箱１の展開状態に相当する平面形状を持ち、包装箱１の各面に相当する面板３と、包装箱の形成時の貼合わせに用いるフラップ４を備えている。各面板３及びフラップ４の境界部に沿って、コートボール紙に折り癖をつけた折曲げ加工線５が形成されている。
【００４５】
直方体形状の６面体である包装箱１において、大面積の１対の面板３が包装箱１の正規の立ち姿における正面と裏面を構成し、中面積の１対の面板３が右側面と左側面を構成し、小面積の１対の面板３が天面と底面を構成する。本実施例では、包装箱１の天面側が箱の開封口としての所定の構成を備え（図示省略）、収納物の取出しのために図２（ａ）のように開封されてしまう。そのため、包装箱１の開封されない底面側（図示する台紙２では上端側）にミシン目加工を施している。
【００４６】
即ち、図１（ａ）に図示する小面積の面板３の上端部付近から、その下方に隣接する大面積の面板３にかけて、これらの面板３の左右方向のほぼ中央部沿いに、ミシン目により構成される一定の横幅のミシン目加工部６を縦長に形成している。このミシン目加工部６の横幅及び縦方向の長さ（正確には、小面積の面板３と大面積の面板３のそれぞれにおける縦方向の長さ）は、好ましくは、後述するブラシのハンドル部の横幅及びブラシ部からの突出形状に対応して設計される。
更に、包装箱１の構成時に上記の小面積の面板３の裏側に重ねるフラップ４にも、小面積の面板３におけるミシン目加工部６と位置及び形状が一致するように、ミシン目加工部７を形成している。
【００４７】
ミシン目加工部では、手指による一定程度以上の強さの引裂きや押しにより容易に破れるような破断強度にミシン目を設計している。ミシン目加工部の一端部又は両端部に特に破断して引き起し易いプルタブ式の摘みを形成し、この摘みを引っ張ってミシン目加工部を容易に破断・切除できるように設計することが好ましい。
【００４８】
かくして包装箱１は、図１（ｂ）に示すように、通常の毛髪化粧料の包装箱に対してミシン目加工部６（及びミシン目加工部７）を付加した構成となる。ミシン目加工は封入性を維持でき、外観上も目立たない。
【００４９】
図２（ａ）は、包装箱１を開封して容器入りの毛髪化粧料等の内容物（図示省略）を取り出すと共に、ミシン目加工部６、７を破断・切除してブラシ支持部である溝状のカット部８を形成した状態を示す。図２（ｂ）は、図２（ａ）のＸ−Ｘ線に沿う断面図である。
【００５０】
ミシン目加工部の長手方向の両端部を、破断・切除されずに折れ曲がるに止まる程度に加工すれば、ミシン目加工部を外側から指で押込んだとき、図２（ｂ）に想像線（１点鎖線）で示すようにミシン目加工部が長手方向の両端部を除いて破断されるため、箱の内側へ陥没した凹陥部９が形成される。ブラシ支持効果において凹陥部９は溝状のカット部８と同等である。
【００５１】
図３（ａ）には毛髪化粧料を頭髪に塗布するためのブラシ１０を示す。ブラシ１０は櫛歯部１１とハンドル部１２を備える。櫛歯部１１の片側の櫛歯面１３には多数の櫛歯１４を立設し、他の片側のベース面１５は平坦に形成されている。
【００５２】
ブラシ１０を包装箱１のカット部８で支持した状態を示す図３（ｂ）において、ブラシ１０のハンドル部１２は溝状のカット部８中に没入している。そのため櫛歯部１１の平坦なベース面１５が大面積の面板３に面接触しており、櫛歯面１３がほぼ水平に保たれた状態で、ブラシ１０が包装箱１により安定的に支持されている。
【００５３】
〔実施例２〕
図４（ａ）に示す本実施例の収納トレー１６は、硬質のプラスチック材料を用いて壁部の薄いトレー形状に成形した収納容器であり、１剤式又は多剤式の毛髪化粧料の各剤を充填したチューブや缶容器などを収納して、包装箱１中に収めるものである。
【００５４】
この収納トレー１６には、通常のトレーの構成に加え、ブラシを支持するための次の構成を付加している。即ち、収納トレー１６の長手方向の対向する壁部の内、一方の壁部（図４（ａ）の手前側壁部）にはブラシの一端である櫛歯部１１の先端を受け止める窪み１７を設け、他方の壁部にはブラシの他端であるハンドル部１２の先端側部分を受け止める窪み１８を設けている。窪み１７、１８はそれぞれ、ブラシの櫛歯部１１の横幅、ハンドル部１２の横幅とほぼ一致する横幅を備えている。
【００５５】
想像線で示すブラシ１０を収納トレー１６で支持した状態を示す図４（ｂ）において、ブラシ１０の両端である櫛歯部１１の先端とハンドル部１２の先端側部分が窪み１７、１８にほぼ隙間なく嵌っているので、ブラシ１０は収納トレー１６により安定的に支持されている。この支持の際に、ブラシ１０の櫛歯面１３が必ずしも水平な状態ではないが、仮に少量の毛髪化粧料が櫛歯面１３から垂れ落ちても収納トレー１６で受け止められるので、備品、家具類、床面などの染着汚れを起さない。
【００５６】
〔実施例３〕
図５（ａ）に示す本実施例の内箱１９はコートボール紙からなる薄手の箱体であり、図示省略の商品説明書などの書面類、薄いゴム製手袋、コーム、ブラシ組立て用部品キットなどを収納して、包装箱１中に収めるものである。
【００５７】
この内箱１９の幅の広い天板部を構成する面板２０には、ブラシ１０の櫛歯部１１の横幅とほぼ一致する間隔を隔てて平行に形成した２条のミシン目２１を形成し、これを上記の天板部に隣接する幅の狭い側板部まで延設している。これらのミシン目２１がミシン目加工部２２を構成しており、内箱１９の２条のミシン目２１で囲まれた部分を破断・切除することで、浅くて広いカット部２３が構成される。
【００５８】
想像線で示すブラシ１０を内箱１９で支持した状態を示す図５（ｂ）において、ブラシ１０の櫛歯部１１が、内箱１９のカット部２３にほぼ隙間なく密に嵌入されている。そのため、ブラシ１０は内箱１９により安定的に支持されている。この支持の際に、ブラシ１０の櫛歯面１３が必ずしも水平な状態ではないが、仮に少量の毛髪化粧料が櫛歯面１３から垂れ落ちても内箱１９で受け止められるので、備品、家具類、床面などの染着汚れを起さない。
【００５９】
本実施例において、上記のミシン目加工部２２は、実施形態において前記したカットライン加工部として構成することも好ましい。
【産業上の利用可能性】
【００６０】
本発明の商品包装に係る各種の収納容器によれば、毛髪化粧料を頭髪塗布用のブラシに乗せる操作を簡単、迅速に行い、毛髪化粧料の垂れ落ちを防ぎ、染毛剤である毛髪化粧料の垂れ落ちによる染着汚れを防ぐことができる。
【図１】
2017007719.tif 000003
【図２】
2017007719.tif 000004
【図３】
2017007719.tif 000005
【図４】
2017007719.tif 000006
【図５】
2017007719.tif 000007